(57)【要約】【課題】  ドアに、幼児には操作が困難なロック装置を設けることにより、安全性の高い幼児用ゲート、及び購買者の要望に応えることのできる多用な形態のドアを提供する。【解決手段】  通路の左右対向壁に沿ってそれぞれ起立する側枠２１ａ，２１ｂの下端部を互いに下枠２２で連結した支持フレーム２０と、支持フレーム２０の側枠２１ａ，２１ｂの外側に取り付けられて通路の対向壁に押し当てられる取付調整具１００と、支持フレーム２０の一方の側枠２１ｂにヒンジ部３０により前後に回動自在に取り付けられたドア１と、このドア１に設けられ支持フレーム２０の他方の側枠２１ａにドア１を閉止状態でロックするロック装置５０とを備え、ロック装置５０が二段階操作によりロック状態を解除するようにした。【選択図】        図１
2006061207.tif 000002
【特許請求の範囲】
【請求項１】
通路の左右対向壁に沿ってそれぞれ起立する側枠の下端部を互いに下枠で連結した支持フレームと、該支持フレームの側枠の外側に取り付けられて通路の対向壁に押し当てられる取付調整具と、前記支持フレームの一方の側枠にヒンジ部により前後に回動自在に取り付けられたドアと、このドアに設けられ、前記支持フレームの他方の側枠にドアを閉止状態でロックするロック装置とを備え、該ロック装置が二段階操作によりロック状態を解除するものであることを特徴とする幼児用ゲート。
【請求項２】
前記ロック装置が、ドアの上部及び下部に進退可能に設けられて前記支持フレームの他方の側枠に係合する上下二つのロックピンと、これらロックピンを同時に後退させるハンドルと、該ハンドルの操作を規制するストッパとを備え、該ストッパを退避させてハンドルを操作することにより、前記上下二つのロックピンを同時に後退させてロック状態を解除することを特徴とする請求項１記載の幼児用ゲート。
【請求項３】
前記ドアの枠体のヒンジ部側にナットを埋設し、該ナットに螺合するボルトによりヒンジ部のドア側部材を固定したことを特徴とする請求項１又は２記載の幼児用ゲート。
【請求項４】
前記ドアを、左右の縦枠、上枠及び下枠によって額縁状の枠体に形成し、該枠体の内周面の全部又は一部に溝を設けると共に、該溝に適合する外縁を有しかつ形態の異なる複数個の面材を準備し、購買者の好みに合わせて選択した一つの面材を前記枠体に装着することにより、多様な形態のドアを得ることができるようにしたことを特徴とする請求項１〜３のいずれにか記載の幼児用ゲート。
【請求項５】
前記ロック装置が一端が前記ドアに設けたカバー部に回動可能に支持されたハンドルと、該ハンドルの回動を規制するストッパを有する操作ボタンと、前記ハンドルと、前記上下２つのロックピンとの間に介在してこれらロックピンを同時に後退させる駆動手段とを備えたことを特徴とする請求項１〜４のいずれか記載の幼児用ゲート。
【請求項６】
前記ロック装置が、上面に操作ボタンを有すると共に下面にストッパを有し、前記カバー部に摺動可能かつ前記操作ボタンを前記カバー部の開口部から突出して装着された摺動部材と、一端が前記カバー部に回動可能に支持され、前記摺動部材のストッパによって回動が規制されるハンドルと、前記カバー部内に配設され、前記ハンドルの他端に連結されて上下方向に移動することにより、上部のロックピンを有し前記カバー部内に配置された可動部材の横方向の動きを規制すると共に、下端部に下部のロックピンが取り付けられた伝達部材の上下方向の動きを規制する駆動手段とを備えていることを特徴とする請求項５記載の幼児用ゲート。
【請求項７】
前記駆動手段にカム溝を設けると共に、前記可動部材に該カム溝に摺接するピンを設け、駆動手段の上下動作を可動部材の横方向の動きに変換することを特徴とする請求項６記載の幼児用ゲート。
【請求項８】
前記ヒンジ部を、前記支持フレームの一方の側枠に取付けられたカム面を有する軸受部材と、前記ドアの一方の縦枠の取付けられ前記カム面に摺接すつ突起部を有する回転軸とにより、ドアの自重を利用して自動的に閉止状態に復帰する構造とし、前記ロックピンを進退可能かつ前進方向に付勢して設けると共に、前記支持フレームのロックピン当接部にロックピンを後退方向にガイドするガイド面を設け、前記ドアの復帰力により前記ガイド面によりロックピンを後退させたのち、付勢力によりロックピンを支持フレームの他方の側枠に係合させてドアをロックすることを特徴とする請求項１〜７のいずれかに記載の幼児用ゲート。
【請求項９】
前記ドアの左右の縦枠、上枠、下枠及び面材の全部又は一部を木材で形成したことを特徴とする請求項１〜８のいずれかに記載の幼児用ゲート。
【発明の詳細な説明】
【技術分野】
【０００１】
本発明は、家や施設の部屋の出入口や階段などに設置され、幼児やペットなどの通過を阻止する幼児用ゲートに関するものである。
【背景技術】
【０００２】
従来から、台所や階段など、幼児やペットにとって危険な場所や侵入が好ましくない場所に幼児などが近づくのを防止するために、これらの場所に通じる通路に開閉可能で、閉じたときはロックできるゲートを設置している。
【０００３】
この種の幼児用ゲートに、通路の左右対向壁に沿ってそれぞれ起立する側枠の下端部を互いに下枠で連結したドア枠体と、このドア枠体の側枠の外側にそれぞれ取付けられて通路の対向壁に押し当てられる突張部材と、上記ドア枠体の一方側枠に前後に回動自在に取付けられるドア体と、上記ドア枠体の他方側枠に設けられて上記ドア体を閉鎖状態でロックするロック機構とからなり、このロック機構を、上記他方側枠に上下に回動自在に軸支されて上記ドア体の上端部に着脱自在に係止するホルダ部材と、上記他方側枠に取付けられてホルダ部材の回動により左右にスライドし、かつホルダ部材がドア体に被さった状態で内側へ突出してドア体の側面を上記一方側枠側へ押圧する押圧部材とで形成したものがある（例えば、特許文献１参照）。
【０００４】
また、ドア本体が開閉可能に取付けられた逆門型状の支持枠と、この支持枠を通路などの対向壁の間に取付ける取付機構と、ドア本体をその閉止時にロックとするロック機構とを備え、このロック機構を、ドア本体に係止する係止爪及び支持枠の支柱に嵌合する開口を有し、ドア本体に回動可能に取付けられたロックハンドルと、ロックハンドルと連動しロック時に支持枠の下枠に係止するロック棒とによって構成したものがある（例えば、特許文献２参照）。
【０００５】
【特許文献１】特開平１０−１４７１９号公報（第３−４頁、図１−２）
【特許文献２】特開２０００−２４５５８３号公報（第３−５頁、図１、２、６）
【発明の開示】
【発明が解決しようとする課題】
【０００６】
特許文献１の幼児用ゲートは、側枠の上端部に設けたロック機構によりドア枠体の上端部をロックするようになっており、ドア枠体の下部は自由状態になっているため、ドア枠体を閉じてロックしても、ドア枠体ががたつき易いという問題があった。
【０００７】
特許文献２の幼児用ゲートは、上記特許文献１の問題点を解決するためになされたもので、ドアをロックしたときにがたつきを生じることがなく、また対向壁の間に設置する場合の自由度が大きいため需要者から好評を博しているが、大きい幼児はロックを解除してドアを開けられるおそれがあった。
また、従来の幼児用ゲートは、固定的な形態をしており、購買者の多様な要望に応えることができなかった。
【０００８】
本発明は、上記の課題を解決するためになされたもので、ドアに幼児には操作が困難なロック装置を設けた安全性の高い幼児用ゲートを提供することを第１の目的としたものである。
また、購買者の要望に応えるために、多様な形態のドアを有する幼児用ゲートを提供することを第２の目的としたものである。
【課題を解決するための手段】
【０００９】
（１）本発明に係る幼児用ゲートは、通路の左右対向壁に沿ってそれぞれ起立する側枠の下端部を互いに下枠で連結した支持フレームと、該支持フレームの側枠の外側に取り付けられて通路の対向壁に押し当てられる取付調整具と、前記支持フレームの一方の側枠にヒンジ部により前後に回動自在に取り付けられたドアと、このドアに設けられ、前記支持フレームの他方の側枠にドアを閉止状態でロックするロック装置とを備え、該ロック装置が二段階操作によりロック状態を解除するようにしたものである。
【００１０】
（２）上記（１）のロック装置を、ドアの上部及び下部に進退可能に設けられて前記支持フレームの他方の側枠に係合する上下二つのロックピンと、これらロックピンを同時に後退させるハンドルと、該ハンドルの操作を規制するストッパとを備え、該ストッパを退避させてハンドルを操作することにより、前記上下二つのロックピンを同時に後退させてロック状態を解除するようにした。
【００１１】
（３）上記（１）又は（２）のドアの枠体のヒンジ部側にナットを埋設し、該ナットに螺合するボルトによりヒンジ部のドア側部材を固定した。
（４）また、上記（１）〜（３）のいずれかのドアを、左右の縦枠、上枠及び下枠によって額縁状の枠体に形成し、該枠体の内周面の全部又は一部に溝を設けると共に、該溝に適合する外縁を有しかつ形態の異なる複数個の面材を準備し、購買者の好みに合わせて選択した一つの面材を前記枠体に装着することにより、多様な形態のドアを得ることができるようにした。
【００１２】
（５）上記（１）〜（４）のいずれかのロック装置が一端が前記ドアに設けたカバー部に回動可能に支持されたハンドルと、該ハンドルの回動を規制するストッパを有する操作ボタンと、前記ハンドルと、前記上下２つのロックピンとの間に介在してこれらロックピンを同時に後退させる駆動手段とを備えた。
【００１３】
（６）上記（５）のロック装置が、上面に操作ボタンを有すると共に下面にストッパを有し、前記カバー部に摺動可能かつ前記操作ボタンを前記カバー部の開口部から突出して装着された摺動部材と、一端が前記カバー部に回動可能に支持され、前記摺動部材のストッパによって回動が規制されるハンドルと、前記カバー部内に配設され、前記ハンドルの他端に連結されて上下方向に移動することにより、上部のロックピンを有し前記カバー部内に配置された可動部材の横方向の動きを規制すると共に、下端部に下部のロックピンが取り付けられた伝達部材の上下方向の動きを規制する駆動手段とを備えた。
【００１４】
（７）上記（６）の駆動手段にカム溝を設けると共に、前記可動部材に該カム溝に摺接するピンを設け、駆動手段の上下動作を可動部材の横方向の動きに変換するようにした。
【００１５】
（８）上記（１）〜（７）のいずれかのヒンジ部を、前記支持フレームの一方の側枠に取付けられたカム面を有する軸受部材と、前記ドアの一方の縦枠の取付けられ前記カム面に摺接すつ突起部を有する回転軸とにより、ドアの自重を利用して自動的に閉止状態に復帰する構造とし、前記ロックピンを進退可能かつ前進方向に付勢して設けると共に、前記支持フレームのロックピン当接部にロックピンを後退方向にガイドするガイド面を設け、前記ドアの復帰力により前記ガイド面によりロックピンを後退させたのち、付勢力によりロックピンを支持フレームの他方の側枠に係合させてドアをロックするようにした。
【００１６】
（９）上記（１）〜（８）のいずれかのドアの左右の縦枠、上枠、下枠及び面材の全部又は一部を木材で形成した。
【発明の効果】
【００１７】
本発明は、ドアを閉止したときは確実に支持フレームにロックすることができ、かつ幼児には操作困難なロック装置を設けたので、安全な幼児用ゲートを得ることができる。
また、一つの枠体に種々の面材を装着することができるので、購買者の要望にあわせたドアを有する幼児用ゲートを経済的かつ迅速に提供することができる。
【発明を実施するための最良の形態】
【００１８】
図１は本発明の一実施の形態に係る幼児用ゲートの正面図、図２は図１のドアの正面図、右側面図、Ａ−Ａ断面図及び下面図である。
図１において、Ｇは幼児用ゲートで、１はドア、２０はドア１の支持フレーム、３０はドア１の自動閉止機能を備え、ドア１を支持フレーム２０に回動自在に支持するヒンジ部、５０はドア１のロック装置、１００は壁や柱の間に幼児用ゲートＧを取付けるための取付調整具である。なお、１０５は幼児用ゲートＧを取付ける壁や柱の間隔が広い場合に、支持フレーム２０の片側又は両側に取付けるスペアとしての調整部材であるが、本発明に必須のものではない。
【００１９】
ドア１は、図２に示すように、木材からなる縦枠３ａ，３ｂ、上枠４ａ及び下枠４ｂをほぼ額縁状に組込んでなる枠体２と、木材からなり上下の縁部が上枠４ａと下枠４ｂの内壁に設けた溝５に着脱可能に嵌装された面材６とからなり、上枠４ａの一方の側には凹状に形成されたロック装置装着部７が設けられている。したがって、一方の縦枠３ａは他方の縦枠３ｂより短かくなっている。８は縦枠３ａの上下方向及び上枠４ａに連通して設けられた貫通穴、８ａは貫通穴８の下部及び下枠４ｂに貫通穴８と連通して設けられた貫通穴８より大径の貫通穴である。３１，３２は縦枠３ｂの側壁に設けられた後述のヒンジ部３０のドア側部材を構成する上部回転軸及び下部回転軸である。
【００２０】
上記の説明では、ドア１の縦枠３ａ，３ｂ，上枠４ａ、下枠４ｂ及び面材６を木材で構成した場合を示したが、その全部又は一部を合成樹脂成形品で形成してもよく、また、ドア１を枠体２とこれに着脱可能に装着された面材６とによって構成した場合を示したが、これらを例えばブロー成形等により一体に形成してもよい。
また、ドア１の面材６や一体化したドアの表面にキャラクタ模様を設けたりスクリーン等を取付けてもよく、さらには面材６の形状を変えたり格子状にするなどしてもよい。また各種形状や模様を有する複数個の面材６を準備しておき、購買者があらかじめ選択した面材６を枠体２に取付けて出荷するようにしてもよい。このようにすることにより、１つの枠体２で多様な要望に応えることができ、その上取付けた面材６は簡単に取外すことができないので、安心して使用することができる。さらに、枠体２の周面の全周に亘って溝を設け、枠体２の開口部全面を覆う面材を着脱可能に装着するようにしてもよい。
【００２１】
支持フレーム２０は、木材又は合成樹脂成形品からなり、図３に示すように、両側枠２１ａ，２１ｂと、これら両側枠２１ａ，２１ｂの下端部を連結する下枠２２とにより逆門型状に形成されており、両側枠２１ａ，２１ｂの上部と下部には円筒状のめねじをインサートするなどして、外壁から内壁に至るねじ穴２３ａ，２３ｂが設けられている（支持枠２１ｂには図示してない）。
【００２２】
２４は一方の支持枠２１ａの上部を覆って（ねじ穴２３ａ部分を除く）固定された上部ロック受け部材で、その内側（ドア１側）にはドア１側に開口する第１のロック穴２５が設けられている。２６は支持枠２１ａの下部と連結枠２２の端部を覆って（ねじ穴２３ｂ部分を除く）固定された下部ロック受け部材で、連結枠２２の上面側には上方（ドア１側）に開口する第２のロック穴２７が設けられている。なお、上部ロック受け部材２４と下部ロック受け部材２６の第１，第２のロック穴２５，２７の両側（前後面）には、第１，第２のロック穴２５，２７側に傾斜する案内面２４ａ，２６ａが設けられている（図１参照）。
３７，３８は他方の支持枠２１ｂの上部及び下部と連結枠２２の端部を覆って固定された上部軸受部材及び下部軸受部材で、ドア１に設けた上部回転軸３１と下部回転軸３２とによりヒンジ部３０を構成するフレーム側部材である。
【００２３】
次に、支持フレーム２０にドア１を開閉自在に支持するヒンジ部３０について、図４〜図６により説明する。
図４及びヒンジ部３０の分解斜視図である図５、図６において、３１，３２はドア１に取付けられるほぼ同じ構造の上部回転軸及び下部回転軸で、本体部３３ａ，３３ｂと、本体部３３ａ，３３ｂの上面又は下面の一方の側に偏って上方又は下方に延設された支持軸３４ａ，３４ｂとからなり、本体部３３ａ，３３ｂの上面又は下面には、カムフォロワとしての突起部３５ａ，３５ｂが設けられている。なお、上部回転軸３１の支持軸３４ａには、上端部に開口する軸受穴３６が設けられている。４４は軸受穴３６に挿入されるコイルばねである。
【００２４】
図７に上部回転軸３１及び下部回転軸３２をドア１の縦枠３ｂに取付ける取付構造を示す。ドア１の縦枠３ｂの上下の前後方向には、図７（ｂ）に示すように、軸方向と直交してめねじ９ａが設けられ、前端面にめねじ９ａの方向を示す目印９ｂが設けられたナット９が埋設されており、上部回転軸３１及び下部回転軸３２はそれぞれ２分割されて、図７（ａ）に示すように、ボルト３２ａをこのナット９のめねじ９ａに螺入して、縦枠３ｂの側壁に取付けられる。このような取付構造により、ドア１の開放時にヒンジ部３０とドア１との連結部に集中する応力によって生じる縦枠３ｂの破損を防止することができる。
【００２５】
３７は支持フレーム２０の側枠２１ｂの上部を覆って固定される上部軸受部材で、本体部３９と二又状の取付部４０とからなり、本体部３９の下端部には、図の左下りにドア１側の中央部が最下位になるように斜めに切除された傾斜面４１（以下、カム面という）が形成されている。また、本体部３９には、上部回転軸３１の支持軸３４ａが回転かつ上下方向に摺動自在に挿入される有天穴４２が設けられており、その天面には支持軸３４ａの軸受穴３６に回転かつ上下方向に摺動自在に挿入される支持ピン４３が突設されている。この上部軸受部材３７は、取付部４０を支持フレーム２０の側枠２１ｂの上部に嵌合し、ねじにより固定される。
【００２６】
３８は支持フレーム２０の側枠２１ｂの下部と下枠２２の端部を覆って固定される下部軸受部材で、本体部４４と二又状の取付部４５とからなり、下端部は二又状に開口されている。そして、本体部４４の上面には上部軸受部材３７のカム面４１と同方向、したがって、図の左下りにドア１側の中央部が最下位になるように斜めに切除されたカム面４６が形成されており、カム面４６上の中央部から両側にそれぞれ、例えば９０°隔てた位置には対向して嵌合凹部４７ａ，４７ｂが設けられている。また、本体部４４には上下方向に貫通して下部回転軸３２の支持軸３４ｂが回転かつ上下方向に摺動自在に嵌入する嵌合穴４８が設けられている。この下部軸受部材３８は、取付部４５及び下端部を側枠２１ｂの下部及び下枠２２の端部に嵌合し、ねじにより固定される。この場合、上部軸受部材３７のカム面４１と下部軸受部材３８のカム面４６とは平行であり、ドア１の開放角にかかわらず、ドア１の上下方向は常にカム面４１，４６の対応した位置にあるので、ドア１のガタツキを防止することができる。
【００２７】
次に、上記のような各部からなるヒンジ部３０の取付手順及び作用について説明する。なお、ドア１の縦枠３ｂには上部回転軸３１及び下部回転軸３２があらかじめ取付けられているものとする。
先ず、下部軸受部材３８が取付けられた支持フレーム２０内にドア１を位置させ、下部回転軸３２の支持軸３４ｂを下部軸受部材３８の嵌合穴４８に挿入する。ついで、上部軸受部材３７の有天穴４２を上部回転軸３１の支持軸３４ａに嵌合すると共に、その支持ピン４３を軸受穴３６に嵌入し、取付部４０を側枠２１ｂに嵌合してねじで固定する。このとき、コイルばね４４は支持ピン４３の外周に沿って、軸受穴３６の底部と有天穴４２の天面との間に介装され、ドア１を下方に付勢する。
【００２８】
これにより、ドア１はヒンジ部３０により支持フレーム２０に開閉自在に支持される。このときの状態を図４に示す。このとき、上部回転軸３１及び下部回転軸３２のカムフォロワである突起部３５ａ，３５ｂは、コイルばね４４の付勢力によって、常に上部軸受部材３７及び下部軸受部材３８のカム面４１，４６の先端部、すなわち、最下部に当接する。また、コイルばね４４はドア１を下方に付勢しているので、ドア１は半自動的に閉鎖方向に回転する。
【００２９】
いま、ドア１を図４の矢印ａ方向に回動して開放すると、上部回転軸３１と下部回転軸３２の突起部３５ａ，３５ｂは、上部軸受部材３７と下部軸受部材３８のカム面４１，４６に沿って移動し、ドア１はこれに伴って上昇する。ドア１が９０°回転して下部回転軸３２の突起部３５ｂがカム面４６の嵌合凹部４７ａに嵌合すると停止し、コイルばね４４の作用によりドア１はその位置に安定して保持される。
【００３０】
ドア１を閉める場合は、ドア１を弱い力で矢印ｂ方向に押すと、突起部３５ｂが嵌合凹部４７ａから外れ、ドア１は自重により自動的に矢印ｂ方向に回動し、突起部３５ａ，３５ｂがカム面４１，４６に沿って移動し、かつコイルばね４４の付勢力により下降しつつ回動して元の位置に戻り、閉じられる。
ドア１を矢印ｂ方向に回転させて開放し、また、これを閉める場合の作用も上記と同様である。
このように、本発明におけるヒンジ部３０は、斜めに切除されたカム面４１，４６とコイルばね４４の作用により、ドア１を自動的に閉じることのできる自動閉止機能を備えている。
【００３１】
図８はドアのロック装置を説明するための縦断面図、図９はロック装置の分解斜視図である。
ロック装置５０において、５１は幅方向の中央部から２分割した上面板５２、前面板５３ａ及び側面板５３ｂからなり、ドア１のロック装置装着部７上に配置されて上枠４ａに固定されるカバー部（図には一方だけ示してある）で、上面板５２には所定の距離を隔て開口部５４ａ，５４ｂが設けられており、また上面板５２の長手方向の下面には、所定のすき間からなるガイド穴５５が設けられている。５６はガイド穴５５の長手方向のほぼ中央部の下方に設けたばね収容室である。５７は後述の可動部材８０の収容部、５８はこの収容部５７に対応して前面板５３ａに設けたピン穴である。なお、５９はガイド穴５５の端部近傍（前面板５３ａの反対側）において側面板５３ｂに設けられ、後述のハンドル７０を支持する支持部である。
【００３２】
６０は後述のハンドル７０のロック手段である摺動部材で、カバー部５１のガイド穴５５に摺動可能に挿入される摺動板６１と、摺動板６１の上面に所定の間隔で設けられ、カバー部５１の開口部５４ａ，５４ｂに下から挿入されて上面側に突出する操作ボタン６２ａ，６２ｂと、操作ボタン６２ａの下方において摺動板６１の下面から突設されたストッパ６３と、両操作ボタン６２ａ，６２ｂのほぼ中間部において、摺動板６１の下面から突設されたリブ６４とからなっている。６５はカバー部５１のばね室５６に収容されるばねである。
【００３３】
７０はＵ字状の本体部７１とその両側に設けた支持腕７２，７３とからなるハンドルで、本体部７１の支持腕７３側の上面には嵌合穴７６が設けられている。このハンドル７０はガイド穴５５とばね収容室５６の下に配設され、一方の支持腕７２の端部に設けたピン穴７４によりカバー部５１の支持部５９に回動可能に軸支され、他方の支持腕７３は可動部材８０の収容部５７の上部に設けた支持部５７ａ上に載置されて、ほぼ水平に保持される。
【００３４】
８０は隔壁８１を隔てて上下が開口された広い室８２と狭い室８３とが形成され、後述の駆動部材９０によって駆動される第１のロック部を構成する可動部材で、広い室８２の端部に設けた側壁８４の外面及び隔壁８１の狭い室８３側にはばね座８５が設けられている（隔壁８１のばね座は図示してない）。また、後壁８６には広い室８２内に突出するピン８７が設けられている。８８はカバー部５１のピン穴５８より大径のフランジ８８ａを有する第１のロックピンで、その先端部はほぼ半球状に形成されている。
この可動部材８０はカバー部５１の収容部５７内に収容されると共に、第１のロックピン８８が内側からピン穴５８に挿通される。そして、側壁８４のばね座８５と収容室５７の縦壁との間にはばね８９ｂが介装され、隔壁８１のばね座と第１のロックピン８８のフランジ８８ａとの間には、第１のロックピン８８を進退可能かつ前進方向に付勢するばね８９ａが介装される。
【００３５】
９０はカバー部５１の収容部５７の間に形成されたすき間５８ａから挿入され、ドア１のロック装置装着部７の上枠４ａ上に載置されて可動部材８０を駆動する駆動手段である駆動部材で、後述のワイヤ９８の連結部９２を有する基台９１と、基台９１の上面の一方の側に偏って立設された縦板９３とを有し、縦板９３には可動部材８０のピン８７が摺動自在に挿入される右下りのカム穴９４が設けられている。なお、このカム穴９４に代えて、例えば、縦板９３の背面側に右下りのカム溝を設けてもよく、以下、これらを一括して傾斜カム溝という。
この駆動部材９０は、縦板９３を可動部材８０の大きい室８２に下から挿入してそのカム溝９４にピン８７を嵌入し、上端部に設けたピン穴９５を利用してハンドル７０の支持腕７３の先端部に設けたピン穴７５に、ピンにより回動自在に軸止される。
【００３６】
９６は下部にドア１の下枠４ｂに設けた貫通穴８ａより大径のフランジ９６ａを有し、下方に開口する有天の穴が設けられた第２のロック部を構成するロックピン保持部で、貫通穴８ａに下から挿入されて固定され、穴内には先端部が例えば半球状に形成された第２のロックピン９７が上下に摺動可能に挿入されている。
９８は一端が駆動部材９０の連結部９２に連結され、他端が第２のロックピン９７に連結されて、駆動部材９０の動きを第２のロックピン９７に伝達する例えばワイヤからなる伝達部材である。なお、この伝達部材は、金属材料からなる線材、金属材料に合成樹脂を被覆した線材等を用いてもよく、以下これらを含めてワイヤという。９９はロックピン保持部９６の穴内において天板と第２のロックピン９７との間に介装されたばねで、第２のロックピン９７を下方に付勢する。
【００３７】
図８は上記のような各部からなるロック装置５０をドア１に組込んで、ドア１をロックした状態を示す断面図である。この状態では、摺動部材６０の摺動板６１はガイド穴５５のほぼ中央部にあり、操作ボタン６２ａ，６２ｂは開口部５４ａ，５４ｂのほぼ中央に位置し、また、リブ６４はばね６５のほぼ中央部に挿入されている（以下、この状態を中立位置という）。なお、ばね６５は２つに分割してリブ６４の両側に配置してもよく、あるいは、摺動部材６０を中立位置に保持するように、リブ６４の一方の側に設けてもよい。
そして、ハンドル７０はほぼ水平に保持されて、その本体部７１の上面は摺動部材６０のストッパ６３に当接して回動を阻止されている。
【００３８】
可動部材８０はカバー部５１の収容部５７に収容されて第１のロックピン８８がピン穴５８から突出し、支持フレーム２０の側枠２１ａに設けた上部ロック受け部材２４の第１のロック穴２５に嵌入している。なお、可動部材８０と第１のロックピン８８との間に介装されたばね８９ａは、この状態では圧縮はされるがこれ以上伸張しないようになっている。
また、駆動部材９０の縦板９３は、可動部材８０の大きい室８２に挿入されて上端部がハンドル７０の支持腕７３に連結され、カム溝９４にはピン８７が嵌入されてその上端部（図の左方）に位置している。そして、基台９１はドア１の上枠４ａ上に載置されている。
【００３９】
第２のロックピン９７は下降して支持枠２１ａと連結枠２２との間に設けた下部ロック受け部材２６の第２のロック穴２７に嵌入している。
このように、この状態では、ハンドル７０は摺動部材６０のストッパ６３により回動を阻止されており、第１、第２のロックピン８８，９７はそれぞれ第１、第２のロック穴２５，２７に嵌入してロックしているので、ドア１を開放することはできない。
【００４０】
ドア１を開放する場合は、図１０に示すように、ドア１のロック装置装着部７に手を入れてハンドル７０を軽く握ると共に、例えば親指で摺動部材６０の操作ボタン６２ａを矢印方向に押圧する。これにより、摺動板６１がガイド穴５５内を摺動し、操作ボタン６２ａが開口部５４ａの端部に当って停止する。このとき、ストッパ６３はハンドル６６の嵌合穴７６上に位置する。
この状態でハンドル７０を強く握ると、ハンドル７０は一端の軸支部５９を中心に矢印方向に回動し、ストッパ６３は嵌合穴７６に嵌入する。
【００４１】
ハンドル７０が矢印方向に回動すると、支持腕７３の端部に連結された駆動部材９０が上昇し、これに伴ってカム溝９４に嵌入しているピン８７が図の右方向に移動するので、第１のロックピン８８を有する可動部材８０も図の右方向に移動し、第１のロックピン８８が第１のロック穴２５から離脱する。
【００４２】
一方、駆動部材９０の上昇によってこれに連結されたワイヤ９８も上昇し、その下端部に取付けた第２のロックピン９７が上昇して、第２のロック穴２７から離脱する。
このように、操作ボタン６２ａを押圧してハンドル７０を強く握ることにより、二段階操作によって第１、第２のロックピン８８，９７が後退して第１、第２のロック穴２５，２７から離脱してロックが解除されるので、ドア１はヒンジ部３０を介して前後に開閉することができる。
【００４３】
ドア１が開いてハンドル７０から手を離すと、ハンドル７０は可動部材８０のばね８９ａとピン８７の作用、取付腕７３の先端部に連結された駆動部材９０、ワイヤ９８の荷重及びロックピン保持部９６のばね９９の付勢力によって支持部５９を中心に反矢印方向に回動すると共に、摺動部材６０はばね６５に付勢されて反矢印方向に摺動して元の位置に戻り、ストッパ６３がハンドル７０の本体部７１の上面に当接してハンドル７０をその位置にロックする。また、可動部材８０は駆動部材９０の下降に伴って図の左方に移動し、第１、第２のロックピン８８，９７はピン穴５８及びロックピン保持部９６から突出する。
【００４４】
取付調整具１００は、図８に示すように、つまみ１０１とこれと一体に形成されたボルト１０２とからなり、ボルト１００がフレーム２０の支持枠２１ａ，２１ｂに設けたねじ穴２３ａ，２３ｂに螺入される。なお、つまみ１０１と頭部を有するボルト１０２を別々に作り、所望長さのねじ部を有するボルト１０２を、つまみ１０１の中心部に設けた貫通穴に回転不能に挿入するようにしてもよい。
【００４５】
次に、上記のように構成したドア１の取付手順の一例及びドア１の開閉作用について説明する。なお、ドア１にはヒンジ部３０の上部回転軸３１、下部回転軸３２及びロック装置５０があらかじめ組込まれており、また、支持フレーム２０には、上部ロック受け部材２４、下部ロック受け部材２６及び下部軸受け部材３８があらかじめ取付けられ、各ねじ穴２３ａ，２３ｂにはそれぞれ取付調整具１００のボルト１０２が螺入されているものとする。
【００４６】
先ず、ドア１を設置する対向する壁又は柱（以下、柱を例にとって説明する）の間に支持フレーム２０を配置し、下枠２２を床面上に載置する。そして、取付調整具１００のつまみ１０１を回転し、ボルト１０２を前進又は後退させてつまみ１０１の頭部を柱に圧着させる。これにより、支持フレーム２０は柱の間に設置される。なお、柱の間が支持フレーム２０の幅より広い場合は、側枠２１ａ，２１ｂの一方又は両側面に、上下にスペース部材１０６ａ，１０６ｂが取付けられた調整部材１０５（図１参照）を当接し、これに設けたねじ穴から側枠２１ａ（又は２１ａ，２１ｂ）のねじ穴２３ａ，２３ｂに、長いボルト１０２を有する取付調整具１００のボルト１０２を螺入して一体に結合し、支持フレーム２０の幅を調整する。この場合、調整部材１０５の上下に設けたスペース部材１０６ａ，１０６ｂは省略してもよい。
【００４７】
次に、支持フレーム２０の側枠２１ａ，２１ｂの間にドア１を位置させて、その下部回転軸３２の支持軸３４ｂを下部軸受部材３８の嵌合穴４８内に嵌入する。ついで、上部軸受部材３７の有天穴４２を上部回転軸３１の支持軸３４ａに嵌合し、その支持ピン４３をコイルばね４４内から軸受穴３６に嵌入する。そして、上部軸受部材３７の取付部４０を側枠２１ｂに嵌合してねじで固定する。このとき、上部回転軸３１の突起部３５ａは上部軸受部材３７のカム面４１上に、下部回転軸３２の突起部３５ｂは下部軸受部材３８のカム面４６上にそれぞれ当接する。これにより、ドア１の取付けが完了する。
【００４８】
ドア１を開放する場合は、ロック装置５０のハンドル７０を握って前述の要領で第１、第２のロックピン８８，９７によるロックを解除すれば、ドア１はヒンジ部３０を中心に前後いずれにも開放することができる。なお、ドア１を開放状態に維持する場合は、ドア１を例えば９０°回転させて下部回転軸３２の突起部３５ｂを、下部軸受部材３８のカム面４６に設けた嵌合凹部４７ａ又は４７ｂに係止させれば、ドア１はコイルばね４４の作用によりその位置に保持される。
【００４９】
ドア１を開いたのちロック装置５０のハンドル７０から手を離すと、ロック装置５０は前述の作用により自動的に元の状態に戻り、第１、第２のロックピン８８，９７はピン穴５８及びロックピン保持部９６の先端部から突出する。そして、ドア１は前述のヒンジ部３０の自動閉止機能（斜めに切除されたカム面４１，４６とコイルばね４４の作用）により閉止位置に向って回動し、第１、第２のロックピン８８，９７が上部ロック受け部材２４及び下部ロック受け部材２６に当接する。このとき、第１、第２のロックピン８８，９７は案内面２４ａ，２６ａ傾斜面にガイドされて、ドア１の回転力によりばね８９ａ，９９を圧縮して後退し、第１、第２のロック穴２５，２７と対向する位置に達するとばね８９ａ，９９に付勢されて前進し、第１、第２のロック穴２５，２７に自動的に嵌入して再びロックされる。なお、ドア１を開放状態に保持するため、下部回転軸３２の突起部３５ｂが下部軸受部材３８の嵌合凹部４７ａ（又は４７ｂ）に係止している場合は、ドア１をコイルばね４４の付勢力に抗して閉じる方向に押すことにより、突起部３５ｂが嵌合凹部４７ａ（又は４７ｂ）から離脱し、上述の作用によりドア１は閉じられ、ロックされる。
【００５０】
上記の説明では、自動閉止機能を有するヒンジ部３０により、ドア１を支持フレーム２０に取付ける場合を示したが、本発明はこれに限定するものではなく、通常のヒンジを用いてもよい。
また、支持フレーム２０を、つまみ１０１とボルト１０２からなる取付調整具１００により柱の間に設置する場合を示したが、他の手段によって取付けてもよい。
【００５１】
以上の説明から明らかなように、本発明によれば、ハンドル７０のロック手段である摺動部材６０の操作ボタン６２ａの押圧と、ハンドル７０の握り締めの二段階操作によりロックを解除するようにしたので、大きな幼児でもドア１を開放することは困難であり、安全である。
また、ドア１は上部と下部の２箇所でロックするようにしたので、ドア１を閉めたときにガタツクことがない。
【００５２】
さらに、ドア１は、ハンドル７０によって駆動される駆動部材９０により、可動部材８０及びワイヤ９８を駆動して第１、第２のロックピン８８，９７を進退させるようにしたので、ドア１を確実にロックし又はロックを解除することができる。
また、ドア１の支持に自動閉止機能を備えたヒンジ部３０を用いた場合は、ドア１は斜めに切除されたカム面４１，４６とコイルばね４４の作用により自動的に閉じられ、第１、第２のロックピン８８，９７は第１、第２の案内面２４ａ，２４ｂにガイドされて後退し、ついで第１、第２のロック穴２５，２７に前進してロックされるので閉め忘れることがなく、安全で使い勝手のよい幼児用ドアを得ることができる。
【図面の簡単な説明】
【００５３】
【図１】本発明の一実施の形態に係る幼児用ゲートの正面図である。
【図２】図１のドアの正面図、右側面図、Ａ−Ａ断面図及び下面図である。
【図３】図１の支持フレームの正面図である。
【図４】図１の要部の拡大図である。
【図５】図４の上部回転軸と上部軸受部材の斜視図である。
【図６】図４の下部回転軸と下部軸受部材の斜視図である。
【図７】図６の下部回転軸をドアの枠体に取付けた状態を示す断面図である。
【図８】図１のロック装置を説明するための断面図である。
【図９】図８のロック装置の分解斜視図である。
【図１０】図８のロック装置の作用説明図である。
【符号の説明】
【００５４】
１  ドア、２  枠体、３ａ，３ｂ  縦枠、４ａ  上枠、４ｂ  下枠、５  溝、６  面材、７  ロック装置装着部、８，８ａ  貫通穴、２０  支持フレーム、２１ａ，２１ｂ  側枠、２２  下枠、２４  上部ロック受け部材、２４ａ，２６ａ  案内面、２５  第１のロック穴、２６  下部ロック受け部材、２７  第２のロック穴、３０  ヒンジ部、３１  上部回転軸、３２  下部回転軸、３４ａ，３４ｂ  支持軸、３５ａ，３５ｂ  突起部、３７  上部軸受部材、３８  下部軸受部材、４１，４６  カム面、４７ａ，４７ｂ  嵌合凹部、５０  ロック装置、５１  カバー部、５４ａ，５４ｂ  開口部、５５  ガイド穴、５８  ピン穴、６０  摺動部材、６２ａ，６２ｂ  操作ボタン、６３  ストッパ、７０  ハンドル、７１  本体部、７６  嵌合穴、８０  可動部材、８７  ピン、８８  第１のロックピン、９０  駆動部材、９３  縦板、９４  カム溝、９６  ロックピン保持部、９７  第２のロックピン、９８  ワイヤ、１００  取付調整具。
【図１】
2006061207.tif 000003
【図２】
2006061207.tif 000004
【図３】
2006061207.tif 000005
【図４】
2006061207.tif 000006
【図５】
2006061207.tif 000007
【図６】
2006061207.tif 000008
【図７】
2006061207.tif 000009
【図８】
2006061207.tif 000010
【図９】
2006061207.tif 000011
【図１０】
2006061207.tif 000012